(57)【要約】【課題】適切な表示形態で歌詞を表示することを目的とする。【解決手段】本発明に係るカラオケシス装置は、カラオケ情報に基づいて再生を行う制御部を備え、カラオケ情報は、演奏情報と歌詞情報を含んで構成され、歌詞情報は、複数の行情報を含んで構成され、行情報は、文字情報、及び、文字情報が表示される表示行を規定した付随情報を含んで構成され、制御部は、演奏処理と、結合表示処理を実行可能とし、演奏処理は、指定されたカラオケ情報の演奏情報を再生し、結合表示処理は、隣接した異なる表示行に表示される文字情報を１つの表示行に結合し、新たな表示行で文字情報を表示する。【選択図】図５
2020149009.tif 000002
【特許請求の範囲】
【請求項１】
カラオケ情報に基づいて再生を行う制御部を備え、
カラオケ情報は、伴奏情報と歌詞情報を含んで構成され、
歌詞情報は、複数の行情報を含んで構成され、
行情報は、文字情報、及び、文字情報が表示される表示行を規定した付随情報を含んで構成され、
制御部は、伴奏再生処理と、結合表示処理を実行可能とし、
伴奏再生処理は、指定されたカラオケ情報の伴奏情報を再生し、
結合表示処理は、隣接した異なる表示行に表示される文字情報を１つの表示行に結合し、新たな表示行で文字情報を表示する
カラオケ装置。
【請求項２】
結合表示処理は、結合対象となる文字情報を結合する際、結合対象となる文字情報に隣接した異なる表示行に表示される文字情報中、表示行に表示される横幅が短い文字情報に結合する
請求項１に記載のカラオケ装置。
【請求項３】
付随情報は、文字情報の表示位置、表示開始タイミング、表示終了タイミングを含んで構成され、
結合表示処理は、付随情報で規定されている表示位置、表示開始タイミング、表示終了タイミングの少なくとも１つを変更する
請求項１または請求項２に記載のカラオケ装置。
【請求項４】
結合表示処理は、結合後の文字情報を、付随情報に含まれる表示開始タイミングと同じタイミングで表示する、あるいは、付随情報に含まれる表示終了タイミングと同じタイミングで表示を終了する
請求項３に記載のカラオケ装置。
【請求項５】
結合表示処理は、結合後の文字情報を、付随情報に規定された表示開始タイミングとは異なるタイミングで表示する、あるいは、表示終了タイミングとは異なるタイミングで表示を終了する
請求項３または請求項４に記載のカラオケ装置。
【請求項６】
結合表示処理は、文字情報が表示されない画面となる前に、表示される文字情報が最も下に位置する表示行となるように調整する
請求項１から請求項５に記載のカラオケ装置。
【請求項７】
結合表示処理は、文字情報が表示されない画面となる前に、表示される文字情報が最も下に位置する表示行となるように、文字情報が表示される表示行を入れ替える
請求項６に記載のカラオケ装置。
【請求項８】
結合表示処理は、文字情報が表示されない画面となる前に、表示される文字情報が最も下に位置する表示行となるように、文字情報を結合しない
請求項６に記載のカラオケ装置。
【請求項９】
制御部は、結合表示処理と、通常表示処理とを切り替えて実行可能とし、
通常表示処理は、付随情報で規定される表示行に文字情報を表示し、
結合表示処理は、通常表示処理において表示される文字の大きさよりも小さい大きさで文字情報を表示する
請求項１から請求項８の何れか１項に記載のカラオケ装置。
【請求項１０】
カラオケ情報に基づいて再生を行う情報処理装置で実行されるカラオケ用プログラムであって、
カラオケ情報は、伴奏情報と歌詞情報を含んで構成され、
歌詞情報は、複数の行情報を含んで構成され、
行情報は、文字情報、及び、文字情報が表示される表示行を規定した付随情報を含んで構成され、
伴奏再生処理と、結合表示処理を実行可能とし、
伴奏再生処理は、指定されたカラオケ情報の伴奏情報を再生し、
結合表示処理は、隣接した異なる表示行に表示される文字情報を１つの表示行に結合し、新たな表示行で文字情報を表示する
カラオケ用プログラム。
【請求項１１】
情報処理装置で実行される歌詞情報変換プログラムであって、
歌詞情報は、複数の行情報を含んで構成され、
行情報は、文字情報、及び、文字情報が表示される表示行を規定した付随情報を含んで構成され、
隣接した異なる表示行に表示される文字情報を１つの表示行に結合する結合処理を実行可能とする
歌詞情報変換プログラム。
【発明の詳細な説明】
【技術分野】
【０００１】
本発明は、再生される伴奏音に併せて歌唱を楽しむカラオケ装置、及び、カラオケ用プログラム、並びに、カラオケに使用される歌詞情報を変換する歌詞情報変換プログラムに関する。
【背景技術】
【０００２】
従来、宴会や飲み会等、各種の人が集う場等では、伴奏音に合わせて歌唱を楽しむカラオケが行われている。カラオケを行うためのカラオケ装置では、演奏に同期して歌詞を表示装置に表示させる基本機能を有することが通常である。ユーザは、表示される歌詞を参照しつつ、歌唱を行うことで、歌詞を記憶していなくても適切な歌詞で歌唱を行うことが可能である。
【０００３】
特許文献１には、弱視や、老眼等の視認を補助するため、歌詞の拡大機能を設けたカラオケシステムが開示されている。歌い手が視認可能な文字サイズに歌詞を拡大することで、歌詞を良好に視認し、カラオケを楽しむことを可能としている。
【先行技術文献】
【特許文献】
【０００４】
【特許文献１】特開２００８−１１６８６４号公報
【発明の概要】
【発明が解決しようとする課題】
【０００５】
現在のカラオケ装置は、通信を介してカラオケ情報を表示装置に送信する形態が一般的である。通信型のカラオケ装置が普及してから年月が経過しているが、普及当初に作成されたカラオケ情報が、今も使用されている場合もある。通信型のカラオケ装置の普及当初は、使用される表示装置（モニタ）も、現在の大画面の表示装置ほどは大きくなく、カラオケ情報を使用して表示する歌詞も、表示装置の大きさに見合った文字サイズ等の形態で表示していた。
【０００６】
現在、カラオケボックス等で使用される表示装置は、大型液晶表示装置等、５０インチ以上の大画面の表示装置が使用されることが一般的となっている。このような大画面の表示装置を使用することで、迫力のある背景映像を提供することが可能となっている。一方、前述したように、歌詞表示については、従来の表示装置を対象にして作成されているため、必要以上に歌詞が大きく表示されることになり、違和感を生じることが考えられる。また、大きな歌詞により背景映像の視認が阻害されてしまうことになる。また、昨今、曲の演奏中に採点結果など歌詞以外の情報を画面に表示することが多くなってきているが、歌詞と歌詞以外の情報とを同時表示する際、重なってしまい互いの情報の視認が阻害されてしまうことがある。
【課題を解決するための手段】
【０００７】
そのため、本発明に係るカラオケ装置は、以下の構成を採用するものである。
カラオケ情報に基づいて再生を行う制御部を備え、
カラオケ情報は、伴奏情報と歌詞情報を含んで構成され、
歌詞情報は、複数の行情報を含んで構成され、
行情報は、文字情報、及び、文字情報が表示される表示行を規定した付随情報を含んで構成され、
制御部は、伴奏再生処理と、結合表示処理を実行可能とし、
伴奏再生処理は、指定されたカラオケ情報の伴奏情報を再生し、
結合表示処理は、隣接した異なる表示行に表示される文字情報を１つの表示行に結合し、新たな表示行で文字情報を表示する。
【０００８】
さらに本発明に係るカラオケ装置において、
結合表示処理は、結合対象となる文字情報を結合する際、結合対象となる文字情報に隣接した異なる表示行に表示される文字情報中、表示行に表示される横幅が短い文字情報に結合する。
【０００９】
さらに本発明に係るカラオケ装置において、
付随情報は、文字情報の表示位置、表示開始タイミング、表示終了タイミングを含んで構成され、
結合表示処理は、付随情報で規定されている表示位置、表示開始タイミング、表示終了タイミングの少なくとも１つを変更する。
【００１０】
さらに本発明に係るカラオケ装置において、
結合表示処理は、結合後の文字情報を、付随情報に含まれる表示開始タイミングと同じタイミングで表示する、あるいは、付随情報に含まれる表示終了タイミングと同じタイミングで表示を終了する。
【００１１】
さらに本発明に係るカラオケ装置において、
結合表示処理は、結合後の文字情報を、付随情報に規定された表示開始タイミングとは異なるタイミングで表示する、あるいは、表示終了タイミングとは異なるタイミングで表示を終了する。
【００１２】
さらに本発明に係るカラオケ装置において、
結合表示処理は、文字情報が表示されない画面となる前に、表示される文字情報が最も下に位置する表示行となるように調整する。
【００１３】
さらに本発明に係るカラオケ装置において、
結合表示処理は、文字情報が表示されない画面となる前に、表示される文字情報が最も下に位置する表示行となるように、文字情報が表示される表示行を入れ替える。
【００１４】
さらに本発明に係るカラオケ装置において、
結合表示処理は、文字情報が表示されない画面となる前に、表示される文字情報が最も下に位置する表示行となるように、文字情報を結合しない。
【００１５】
さらに本発明に係るカラオケ装置において、
制御部は、結合表示処理と、通常表示処理とを切り替えて実行可能とし、
通常表示処理は、付随情報で規定される表示行に文字情報を表示し、
結合表示処理は、通常表示処理において表示される文字の大きさよりも小さい大きさで文字情報を表示する。
【００１６】
また本発明に係るカラオケ用プログラムは、
カラオケ情報に基づいて再生を行う情報処理装置で実行されるカラオケ用プログラムであって、
カラオケ情報は、伴奏情報と歌詞情報を含んで構成され、
歌詞情報は、複数の行情報を含んで構成され、
行情報は、文字情報、及び、文字情報が表示される表示行を規定した付随情報を含んで構成され、
伴奏再生処理と、結合表示処理を実行可能とし、
伴奏再生処理は、指定されたカラオケ情報の伴奏情報を再生し、
結合表示処理は、隣接した異なる表示行に表示される文字情報を１つの表示行に結合し、新たな表示行で文字情報を表示する。
【００１７】
さらに本発明に係るカラオケ用プログラムにおいて、
情報処理装置で実行される歌詞情報変換プログラムであって、
歌詞情報は、複数の行情報を含んで構成され、
行情報は、文字情報、及び、文字情報が表示される表示行を規定した付随情報を含んで構成され、
隣接した異なる表示行に表示される文字情報を１つの表示行に結合する結合処理を実行可能とする。
【発明の効果】
【００１８】
本発明に係るカラオケ装置、カラオケ用プログラムによれば、従来の表示装置を対象に作成されたカラオケ情報であっても、大画面の表示装置等に適切な形態で歌詞を表示することが可能となる。
【図面の簡単な説明】
【００１９】
【図１】本実施形態に係るカラオケシステムの構成を示す図
【図２】本実施形態に係るカラオケ情報、歌詞情報のデータ構成を示す図
【図３】本実施形態の楽曲再生処理を示すフロー図
【図４】本実施形態における変換前、変換後の歌詞情報の表示経過を示す図
【図５】本実施形態における変換目、変換後の歌詞表示の様子を示す図
【図６】本実施形態の歌詞情報変換処理を示すフロー図
【図７】本実施形態の歌詞情報変換処理の第１結合規則を説明するための図
【図８】本実施形態の歌詞情報変換処理の第２結合規則を説明するための図
【図９】本実施形態の歌詞情報変換処理の第１補正処理を説明するための図
【図１０】本実施形態の歌詞情報変換処理の第１補正処理を説明するための図
【図１１】本実施形態の歌詞情報変換処理の第１補正処理を説明するための図
【図１２】本実施形態の歌詞情報変換処理の第２補正処理を説明するための図
【図１３】本実施形態の歌詞情報変換処理の第３補正処理を説明するための図
【発明を実施するための形態】
【００２０】
図１は、本発明の実施形態に係るカラオケシステムの構成を示す図である。本実施形態におけるカラオケシステム３は、カラオケ装置２（「コマンダ」とも呼ばれる）と、リモコン装置１を含んで構成されている。カラオケ装置２とリモコン装置１は、ＬＡＮ１００及びアクセスポイント１１０を利用してネットワークを形成するように接続されている。
【００２１】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置２側の記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２２】
また、カラオケ装置２は、モニタ４１に対して歌詞、背景映像等の映像を表示させる映像再生手段を備える。この映像再生手段は、背景映像情報に基づいて背景映像を再生する映像再生部２９、再生する背景映像を一時的に蓄積するビデオＲＡＭ２８、再生された背景映像に歌詞を重畳表示する映像制御部３１を備えている。なお、映像制御部３１では、背景映像に対して映像効果を付与する機能を有してもよい。
【００２３】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２４】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２５】
さらに、カラオケ装置２は、各構成を統括して制御するための制御手段として、ＣＰＵ等で構成された制御部３０、各種プログラムを実行するにあたって必要となる情報を一時記憶するためのメモリ２７を備えている。
【００２６】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された楽曲を識別する楽曲ＩＤを含む予約情報をメモリ２７に記憶する予約テーブルに登録する。楽曲再生処理は、予約テーブルに登録された予約情報に基づき楽曲を再生させる処理であって、演奏処理と歌詞再生処理とが同期して実行される処理である。
【００２７】
演奏処理は、カラオケ情報に含まれる伴奏情報を音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、カラオケ情報に含まれる歌詞情報に基づいて、歌詞をモニタ４１に表示させることで歌唱補助を行う処理である。この歌詞再生処理で表示される歌詞に、背景映像を重畳させて表示させる背景映像表示処理を実行することとしてもよい。
【００２８】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２９】
さらにリモコン装置１は、楽曲検索に必要とされるデータベース、各種プログラム、並びに、プログラム実行に伴って発生する各種情報を記憶するメモリ１４、そして、これら構成を統括して制御するためのリモコン側制御手段を備えて構成される。リモコン側制御手段には、ＣＰＵ等で構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３０】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。なお、カラオケ装置２の操作は、ユーザ（顧客）が所持するスマートフォン等の携帯端末を使用して行うことも可能である。その場合、ユーザが来店した際、ユーザが所持する携帯端末とカラオケ装置２とが対応付けられる。
【００３１】
図２（Ａ）は、カラオケ装置２で再生されるカラオケ情報のデータ構成を示す図である。カラオケ情報は、選曲等を行うために付与されたメタ情報と、伴奏、歌詞表示を行うための実情報を含んで構成されている。メタ情報には、楽曲を管理するための楽曲ＩＤ、楽曲名、歌手名、作詞者名、作曲者名、区間識別情報等を含んで構成されている。
【００３２】
実情報は、伴奏情報、歌詞情報、背景映像情報を含んで構成されている。楽曲を再生する際、伴奏情報を音響制御部２５に演奏させることで、歌唱伴奏としての伴奏音をスピーカ４２から音響出力することが可能である。また、楽曲を再生する際、歌詞情報を映像再生部２９で再生し、モニタ４１に映像出力することで、ユーザの歌唱補助を行うことが可能である。その際、カラオケ情報に含まれる背景映像情報を、背景映像として再生することで、楽曲の雰囲気に合った映像を表示することが可能である。なお、背景映像情報は、カラオケ情報に含めるものではなく、例えば、楽曲のジャンル毎に用意しておき、カラオケ情報のジャンルに応じて使用することとしてもよい。
【００３３】
図２（Ｂ）は、カラオケ情報に含まれる歌詞情報のデータ構成を示す図である。本実施形態の歌詞情報は、複数の行情報によって構成されている。行情報は、画面に表示させる歌詞１行に関する情報であって、付随情報と文字情報によって構成されている。図２（Ｂ）には、行情報４について、その詳細が示されている。文字情報は、歌詞として表示させる文字を規定する情報であって、文字コード（ＪＩＳコード等）で規定された情報である。付随情報は、演奏進行における文字情報に関する情報であって、本実施形態では、文字情報が表示装置に表示される位置を規定した表示位置（表示行）、文字情報の表示が開始されるタイミングを規定した表示開始タイミング、文字情報の表示が消去されるタイミングを規定した表示終了タイミング、文字情報の色変えのタイミングを規定した色変え開始タイミング、文字情報の色変えの速度を規定した色変え速度を含んで構成されている。
【００３４】
図２（Ｂ）に示されている行情報４の例では、文字情報４で規定される歌詞「うううううううう」を、付随情報に含まれる文字情報が表示される表示行を規定する表示位置（Ｘ１，Ｙ１（Ｙ１は１行目に相当））に、表示開始タイミングｔ１のタイミングでモニタ４１の画面に表示させる。その後、色変え開始タイミングＤｔのタイミングにおいて、色変え速度ｖ１で色変えを開始する。そして、表示終了タイミングｔ２が到来することで、歌詞「うううううううう」の表示を終了（消去）する。
【００３５】
図３には、カラオケ装置２で実行される楽曲再生処理を示すフロー図が示されている。カラオケ装置２は、予約テーブルを参照（Ｓ１０１）し、次に再生すべき予約情報の有無を判定する（Ｓ１０２）。予約情報がある場合（Ｓ１０２：Ｙｅｓ）、次に再生すべき予約情報の楽曲が変換対象楽曲であるか否かが判定される（Ｓ１０３）。変換対象楽曲の判定は、例えば、再生対象となる予約情報に含まれる楽曲ＩＤを、変換禁止楽曲の楽曲ＩＤを規定したテーブルと参照することで行われる。再生対象となる楽曲ＩＤがテーブルに掲載されている場合、変換対象楽曲で無いと判定（Ｓ１０３：Ｎｏ）され、再生対象となる楽曲ＩＤがテーブルに掲載されていない場合、変換対象楽曲と判定（Ｓ１０３：Ｙｅｓ）される。
【００３６】
ここで、変換禁止楽曲を規定するテーブルに掲載される楽曲としては、例えば、以下に示す楽曲が挙げられる。
・背景映像情報に歌詞が含まれている楽曲
・歌詞の２行表示が禁止されている楽曲
・歌詞の表示サイズの変更が禁止されている楽曲
・歌詞情報が５行以上同時に表示されている楽曲
・同時色変わりイベントが使用されている楽曲
本実施形態では、このような楽曲を変換対象楽曲として扱わず、後の歌詞情報変換処理（Ｓ１０４）は実行しないこととしている。
【００３７】
一方、変換対象楽曲については、その歌詞情報に対して歌詞情報変換処理（Ｓ１０４）が実行される。本実施形態の歌詞情報変換処理（Ｓ１０４）は、４乃至３行で規定された元の歌詞情報を２行に、または、２行で規定された元の歌詞情報を１行に変換する処理である。その際、歌詞の文字サイズを小さくすることで、大画面のモニタ４１においても、背景映像が歌詞で阻害されず、その視認性の向上を図ることが可能となっている。
【００３８】
次に、この歌詞情報変換処理（Ｓ１０４）について説明する。図４（Ａ）は、変換前の歌詞情報について、歌詞情報の表示経過を示す例であり、図４（Ｂ）は、変換後の歌詞情報について、新たな行情報に基づく歌詞情報の表示経過を示す例である。図４（Ａ）は、変換前の歌詞情報に基づいて表示される歌詞の表示経過である。本実施形態では、付随情報に含まれる表示位置（表示行）において、Ｙ座標として１行〜４行の何れかの行を割り当てることが可能となっている。行情報に含まれる文字情報１〜７は、各文字情報に関連付けられた各付随情報の表示位置に基づく座標に、表示開始タイミング、表示終了タイミングにしたがって表示される。
【００３９】
例えば、図２（Ｂ）で説明した行情報４については、表示位置（Ｘ１、Ｙ１（１行目））、表示開始タイミングｔ１、表示終了タイミングｔ２が付随情報によって規定されているため、ｔ１〜ｔ２の期間、１行目（行番号１）に表示される。図５（Ａ）は、変換前の歌詞情報によって表示されるモニタ４１の画面を示す図であり、図４（Ａ）に示すｔ１時の様子が示されている。ｔ１時には、１行目（行番号１）に文字情報４「うううううううう」が表示され、２行目（行番号２）に文字情報５「ええええええええ」が表示され、３行目（行番号３）に文字情報２「ああああああああ」が表示され、４行目（行番号４）に文字情報３「いいいいいいいい」が表示されている。文字情報３「いいいいいいいい」には、色変え位置Ｃが示されており、歌唱タイミングを示している。
【００４０】
図５（Ｂ）は、変換後の歌詞情報によって表示されるモニタ４１の画面を示す図であり、図４（Ｂ）のｔ１時の様子、つまり図５（Ａ）と同じ時点の様子が示されている。変換後には、変換前の１行目の文字情報４と２行目の文字情報５が結合され、文字情報４＋５「ううううううううええええええええ」が、新たな１行目に表示される。また、変換前の３行目の文字情報２と４行目の文字情報３が結合され、文字情報２＋３「ああああああああいいいいいいいい」が、新たな２行目に表示される。つまり、変換（結合）後は、変換（結合）した文字情報に関連する付随情報に規定される表示位置（表示行）、表示開始タイミング及び表示終了タイミングが変更され、メモリ２７に一時保存され、一時保存された情報に基づいて、文字情報が表示される。その際、文字情報が結合されることによって文字情報の横幅が長くなって表示されないことあるため、変換後の歌詞情報は、変換前の歌詞情報よりも文字サイズを小さく表示する。これらによって、背景映像情報が歌詞情報によって阻害されることを抑制している。
【００４１】
また、図５に示す本実施形態では、歌唱評価のためにピアノロール４１ａ、技巧情報４１ｂ〜４１ｄを表示している。ここで、ピアノロール４１ａは、模範歌唱の音高、及び、ユーザの歌唱音高を比較するための表示であって、それぞれ、音高を縦方向の位置に、時間経過を横方向の位置にとったバー形状で表示される。また、技巧情報４１ｂ〜４１ｄは、ユーザの歌唱における技巧発生回数を示したものであり、本実施形態では、３種類（こぶし、しゃくり、ビブラート）を技巧情報としている。
【００４２】
図５（Ａ）の変換前の状態では、モニタ４１の上方位置にピアノロール４１ａ、技巧情報４１ｂ〜４１ｄを表示しているのに対し、図５（Ｂ）の変換後の状態では、モニタ４１の下方位置に表示位置を変化させている。また、図５（Ａ）の変換前の状態では、ピアノロール４１ａの上に技巧情報４１ｂ〜４１ｄを表示しているのに対し、図５（Ｂ）の変換後の状態では、ピアノロール４１ａの下に技巧情報４１ｂ〜４１ｄを表示させ、レイアウトを変更している。特に、本実施形態では、変換後の文字情報を、ピアノロール４１ａの上部に表示するため、ピアノロール４１ａと技巧情報４１ｂ〜４１ｄとによって、歌詞の視認性が阻害されない視認しやすいレイアウトとなっている。
【００４３】
図３の楽曲再生処理に戻り、歌詞情報変換処理（Ｓ２００）が完了すると、カラオケ情報に含まれる伴奏情報の再生が開始される（Ｓ１０４）。本実施形態では、採点処理を行う場合（Ｓ１０５：Ｙｅｓ）であって、歌詞の表示形態が縮小表示に指定されている場合（Ｓ１０６：縮小）、図５（Ｂ）に示す、変換後の歌詞情報を使用した表示形態で歌詞を表示させることとしている（Ｓ１０７）。一方、それ以外の場合、すなわち、採点処理が指定されていない場合（Ｓ１０５：Ｎｏ）、あるいは、採点処理が指定されていても歌詞の表示形態が通常表示に指定されている場合（Ｓ１０６：通常）、図５（Ａ）に示す変換前の歌詞情報を使用した表示形態で表示させることとしている（Ｓ１０８）。なお、採点処理時には、ピアノロール４１ａ、技巧情報４１ｂ〜４１ｄがモニタ４１に表示され、採点処理を行わない場合には、モニタ４１には、ピアノロール４１ａ、技巧情報４１ｂ〜４１ｄは表示されない。
【００４４】
このように、本実施形態では、歌詞の大きさの指定状況、採点処理によるピアノロール４１ａ、技巧情報４１ｂ〜４１ｄの表示状況によって、変換前の歌詞情報を使用した４行乃至３行表示、あるいは、変換後の歌詞情報を使用した２行表示に表示形態を切り替えることとしている。なお、このような実施形態に限られるものでは無く、変換後の歌詞情報を使用した歌詞の表示形態は、カラオケ装置２における適宜設定状況下で使用することとしてもよい。
【００４５】
本実施形態では、楽曲の再生途中、採点処理の指定（Ｓ１０５）、歌詞の表示形態（Ｓ１０６）の判断が繰り返し実行され、状況に応じた歌詞の表示形態に変更することが可能となっている。なお、採点処理の指定、歌詞の表示形態については、少なくとも一方について、楽曲再生中は禁止することとしてもよい。楽曲の再生が完了した場合（Ｓ１０９：Ｙｅｓ）、楽曲再生処理の先頭に戻り、次の楽曲について、予約テーブルチェック（Ｓ１０１）が実行される。
【００４６】
次に、本実施形態の歌詞情報変換処理（Ｓ２００）について説明する。図６は、本実施形態の歌詞情報変換処理（Ｓ２００）を示すフロー図である。歌詞情報変換処理（Ｓ２００）では、まず、再生対象となる楽曲の歌詞情報が読み出される（Ｓ２０１）。そして、第１結合規則、第２結合規則に従って結合処理が実行される（Ｓ２０２）。
【００４７】
図７は、本実施形態の歌詞情報変換処理の第１結合規則を説明するための図である。図７（Ａ）に示されるように、変換前における、ある時点での表示状態が、１〜４行目に、文字情報１〜４を表示させている場合、変換後は、１行目の文字情報１と２行目の文字情報２とを結合し新たな１行目に表示させる。また、３行目の文字情報３と４行目の文字情報４とを結合し新たな２行目に表示させる。なお、本実施形態では、歌詞情報変換処理（Ｓ２００）において文字情報を結合することで、付随情報中の表示位置、表示開始タイミング、表示終了タイミングの何れか１つが変更され、新たな表示位置、表示開始タイミング、表示終了タイミングが形成される。新たに形成された表示位置、表示開始タイミング、表示終了タイミングは、メモリ２７に一時保存される。本実施形態では、形成された新たな表示位置、表示開始タイミング、表示終了タイミングは、楽曲再生処理の終了後、破棄することとしているが、形成された新たな表示位置、表示開始タイミング、表示終了タイミングは、カラオケ情報中の歌詞情報等に記憶させておき、同じ楽曲が再度、指定された場合に再利用可能な状態としてもよい。
【００４８】
また、図７（Ｂ）、図７（Ｃ）に示されるように、変換前における、ある時点での表示状態が、１〜３行目に文字情報１〜３を表示させている場合、文字情報２は、表示行に表示される文字情報の横幅が短い側に結合することとしている。例えば、図７（Ｂ）に示されるように、文字情報３の横幅の長さは、文字情報１の横幅よりも短いため、文字情報２は、文字情報３に結合され、新たな２行目に表示されることになる。一方、図７（Ｃ）に示されるように、文字情報１の横幅の長さは、文字情報３の横幅よりも短いため、文字情報２は、文字情報１に結合され、新たな１行目に表示される。このように、第１結合規則では、変換後の文字情報の長さをできるだけ抑えるとともに、新たな１行目と２行目の長さの違いを抑えることが可能となっている。
【００４９】
図８は、本実施形態の歌詞情報変換処理の第２結合規則を説明するための図である。第２結合規則は、結合した文字情報が１行となる場合における規則である。例えば、図８（Ａ）のように変換前の表示状態が、１行目の文字情報１と２行目の文字情報２であって、変換後に結合されることで１行となる場合、結合された文字情報１、２は、下端となる２行目に表示させることとしている。変換後に１行目に表示させた場合、２行目に文字情報が表示されていないため、歌唱するユーザは、２行目に何か表示されることを期待することが考えられる。ユーザが期待しているにも関わらず、何も表示されない場合、ユーザは戸惑いを生じることがある。本実施形態では、このように、変換後の文字情報を、下端側を優先して表示させることで、画面レイアウト上、安定感のある表示とすることが可能となる。
【００５０】
図６に示す本実施形態において、第１結合規則、第２結合規則に従った結合処理（Ｓ２０２）が完了すると、結合された文字情報について検証が行われる。第１結合規則、第２結合規則に従った結合処理では、結合後の複数の文字情報が同じ行であって、且つ、表示するタイミングが被って重なって表示される場合がある。結合後の複数の文字情報について、重なって表示される場合（Ｓ２０３：Ｙｅｓ）、第１補正処理（Ｓ２０４）が実行される。
【００５１】
図９〜図１１は、図６に示す本実施形態の歌詞情報変換処理の第１補正処理を説明するための図であり、第１補正処理の各種形態が示されている。図９〜図１１のＡ〜Ｊは、各形態を説明するための図であり、各形態Ａ〜Ｊの添字「１」は補正前、添字「２」は補正後を示している。また、文字情報Ａ〜Ｄは、結合処理が行われた後の文字情報であって、アルファベットの順（Ａ→Ｂ→Ｃ→Ｄ）で、歌唱されることを示している。
【００５２】
図９（Ａ１）は、結合処理が行われた後の状態であり、この形態では、新たな２行目（新行番号２）において、文字情報Ａの終端部分と、文字情報Ｂの先端部分で重複がみられる。なお、新たな１行目（新行番号１）は、空き状態となっている。このような場合、第１補正処理（Ｓ２０４）では、図９（Ａ２）に示されるように、空いている新たな１行目に文字情報Ｂを移動させる補正を行うことで重複を解消している。
【００５３】
図９（Ｂ１）は、新たな２行目において、文字情報Ｂの終端部分と、文字情報Ｃの先端部分で重複がみられる。この場合、新たな１行目（新行番号１）は、空き状態となっていない。このような場合、文字情報Ｂを新たな１行目に移動させ、文字情報Ａの終端、すなわち、文字情報Ａの表示終了タイミングを前倒しとし、新たな１行目において、文字情報Ｂと文字情報Ｃの重複を解消している。歌唱は、文字情報Ａ、文字情報Ｂ、文字情報Ｃの順に行われることになるが、文字情報Ａと文字情報Ｃは、間に文字情報Ｂを挟んでいるため、文字情報Ａと文字情報Ｃの歌唱には時間が空くことになる。したがって、図９（Ｂ２）に示されるように、文字情報Ａの表示終了タイミングを前倒しにしても支障が起こる可能性は少ない。
【００５４】
図９（Ｃ１）は、新たな２行目において、文字情報Ａの終端部分と、文字情報Ｃの先端部分で重複がみられる。文字情報Ａと文字情報Ｃは、間に文字情報Ｂを挟んでいるため、文字情報Ａと文字情報Ｃの歌唱には時間が空くことになる。また、新たな１行目には、文字情報Ｃに先駆けて歌唱する文字情報Ｂが表示されている。したがって、この場合は、図９（Ｃ２）に示されるように、文字情報Ｃの表示開始タイミングを後ろ倒しとして、文字情報Ａと文字情報Ｃの重複を解消することとしている。
【００５５】
図９（Ｄ１）は、新たな１行目において、文字情報Ａの終端部分と、文字情報Ｃの先端部分で重複がみられる。また、新たな２行目において、文字情報Ｂの終端部分と、文字情報Ｄの先端部分で重複がみられる。文字情報Ａが歌唱されてから文字情報Ｃが歌唱されるまでの期間に文字情報Ｂが歌唱されることになる。したがって、図９（Ｄ２）に示されるように、文字情報Ａは表示終了タイミングを前倒しとして、文字情報Ｃとの重複を解消する。また、文字情報Ｂが歌唱されてから文字情報Ｄが歌唱されるまでの期間に文字情報Ｃが歌唱されることになる。したがって、文字情報Ｄは表示開始タイミングを後ろ倒しとして、文字情報Ｂとの重複を解消することとしている。
【００５６】
図１０（Ｅ１）は、新たな２行目において、文字情報Ｂと文字情報Ｃが重複した場合である。この場合、文字情報Ａの歌唱後、文字情報Ｂが直ちに歌唱されるため、文字情報Ａの表示終了位置、文字情報Ｂの表示開始位置を移動させることは好ましくない。ここで、文字情報Ｃは文字情報Ｂの後に歌唱されることになるため、図１０（Ｅ２）に示されるように、文字情報Ｃを新たな１行目に移動して、その表示開始タイミングを後ろ倒しにする。このように補正することで、文字情報Ａ、文字情報Ｂ、文字情報Ｃの順で適切に歌唱させることが可能となる。
【００５７】
図１０（Ｆ１）は、新たな２行目において、文字情報Ａの終端部分と、文字情報Ｃの先端部分で重複がみられる。なお、新たな１行目には、文字情報Ａの後に歌唱される文字情報Ｂが表示されている。この場合、文字情報Ａを早く消去しても支障が少ないことが予想されるため、図１０（Ｆ２）に示されるように、文字情報Ａの表示終了タイミングを前倒しにして、文字情報Ａと文字情報Ｃの重複を解消することとしている。
【００５８】
図１０（Ｇ１）は、新たな１行目において、文字情報Ｂの終端部分と、文字情報Ｃの先端部分で重複がみられる。なお、新たな２行目には、文字情報Ｂの前に歌唱される文字情報Ａが表示されている。この場合、文字情報Ａを早く消去しても支障が少ないことが予想されるため、図１０（Ｇ２）に示されるように、文字情報Ｃを新たな２行目に移動させた上で、文字情報Ａの表示終了タイミングを前倒しにして、文字情報Ａと文字情報Ｃの重複を解消することとしている。
【００５９】
図１０（Ｈ１）は、新たな１行目において、文字情報Ｂの終端部分と、文字情報Ｃの先端部分で重複がみられる。また、新たな２行目において、文字情報Ａの終端部分と、文字情報Ｄの先端部分で重複がみられる。新たな１行目においては、文字情報Ｂが歌唱された直後に文字情報Ｃが歌唱されるため、文字情報Ｂの歌唱タイミングから文字情報Ｃの歌唱タイミングの期間が短いことが予想される。したがって、文字情報Ｂの表示終了タイミングを前倒しにする、あるいは、文字情報Ｃの表示開始タイミングを後倒しにした場合、歌唱するにあたって支障が生じることが考えられる。この形態では、図１０（Ｈ２）に示されるように、文字情報Ｃと文字情報Ｄとの表示する行を入れ替えた後、文字情報Ａの表示終了タイミングを前倒しとし、文字情報Ｄの表示開始タイミングを後倒しとすることで重複を解消することとしている。
【００６０】
図１１（Ｉ１）は、新たな１行目において、文字情報Ｂの終端部分と、文字情報Ｄの先端部分で重複がみられる。また、新たな２行目において、文字情報Ａの終端部分と、文字情報Ｃの先端部分で重複がみられる。新たな２行目では、文字情報Ａが歌唱されてから文字情報Ｃが歌唱されるまでに、新たな１行目では、文字情報Ｂが歌唱されてから文字情報Ｄが歌唱されるまでに時間が空くことになる。したがって、この形態では、行を入れ替えることなく、表示開始タイミング、表示終了タイミングを補正することが可能である。図１１（Ｉ２）に示されるように、文字情報Ｄは、その表示開始タイミングを後倒しとして、文字情報Ｂとの重複を解消している。また、文字情報Ａについては、その表示終了タイミングを前倒しとして文字情報Ｃとの重複を解消することとしている。
【００６１】
図１１（Ｊ１）は、新たな１行目において、文字情報Ａの終端部分と、文字情報Ｄの先端部分で重複がみられる。また、新たな２行目において、文字情報Ｂの終端部分と、文字情報Ｃの先端部分で重複がみられる。新たな２行目においては、文字情報Ｂが歌唱された直後に文字情報Ｃが歌唱されるため、文字情報Ｂの歌唱タイミングから文字情報Ｃの歌唱タイミングの期間が短いことが予想される。したがって、文字情報Ｂの表示終了タイミングを前倒しにする、あるいは、文字情報Ｃの表示開始タイミングを後倒しにした場合、歌唱するにあたって支障が生じることが考えられる。この形態では、図１１（Ｊ２）に示されるように、文字情報Ｃと文字情報Ｄとの表示行を入れ替えた後、文字情報Ａの表示終了タイミングを前倒しとし、文字情報Ｄの表示開始タイミングを後倒しとすることで重複を解消することとしている。
【００６２】
以上、結合後、同じ行における重複が生じた場合に実行される第１補正処理（Ｓ２０４）について説明したが、図６の第１補正処理（Ｓ２０４）を実行することで、文字情報の表示終了タイミングが前倒し、あるいは、表示開始タイミングが後ろ倒しとなることで、文字情報の色変えタイミングが間に合わない、具体的には、色変え途中に次の文字情報に変更される、あるいは、色変えタイミングであるにも関わらず、文字情報が表示されない状況を生じる可能性がある。
【００６３】
図６に示す本実施形態の歌詞情報変換処理（Ｓ２００）では、このような可能性を考慮し、第１補正処理（Ｓ２０４）の後、色変えタイミングが間に合わない部分が生じた場合（Ｓ２０５：Ｙｅｓ）、第２補正処理（Ｓ２０６）を実行することとしている。
【００６４】
図１２は、本実施形態の歌詞情報変換処理（Ｓ２００）の第２補正処理（Ｓ２０６）を説明するための図であり、第２補正処理の各種形態が示されている。図１２のＡ、Ｂは、各形態を説明するための図であり、各形態Ａ〜Ｊの添字「１」は第１補正処理（Ｓ２０４）による補正前、添字「２」は第１補正処理（Ｓ２０４）による補正後、添字「３」は第２補正処理（Ｓ２０６）による補正後の状態を示している。また、文字情報Ａ〜Ｄは、結合処理が行われた後の文字情報であって、アルファベットの順（Ａ→Ｂ→Ｃ→Ｄ）で、歌唱されることを示している。
【００６５】
図１２（Ａ１）は、新たな２行目において、文字情報Ｂの終端部分と、文字情報Ｄの先端部分で重複がみられる。この場合、第１補正処理（Ｓ２０４）では、文字情報Ｄを遅く表示しても支障が少ないことが予想されるため、図１２（Ａ２）に示されるように、文字情報Ｄの表示終了タイミングを後倒しにして、文字情報Ｂと文字情報Ｄの重複を解消することとしている。ここで、図１２（Ａ１）〜図１２（Ａ３）に示されるＤｔ１は、文字情報Ｄに対する色変え開始タイミングである。図１２（Ａ２）に示されるように、第１補正処理（Ｓ２０４）を実行することで、文字情報Ｄに対する色変え開始タイミングＤｔ１が間に合わない状況、すなわち、文字情報Ｄが表示された際には、文字情報Ｄに対する色替えが既に開始されている状況となっている。
【００６６】
したがって、第２補正処理（Ｓ２０６）では、図１２（Ａ３）に示されるように、文字情報Ｄの色変え開始タイミングＤｔ１に間に合うように、文字情報Ｄの表示開始タイミングを前倒しとし、文字情報Ｂの表示終了タイミングを後ろ倒しにすることで、文字情報Ｄの色変え開始が間に合わない状況を解消している。なお、第２補正処理（Ｓ２０６）の補正は、文字情報Ｄの色変え開始タイミングＤｔ１の前であって、文字情報Ｂの色変え終了タイミングの後であれば、適宜範囲で補正を行うことが可能である。
【００６７】
図１２（Ｂ１）は、新たな１行目において、文字情報Ａの終端部分と、文字情報Ｃの先端部分で重複がみられる。この場合、第１補正処理（Ｓ２０４）では、文字情報Ａを早く消去しても支障が少ないことが予想されるため、図１２（Ｂ２）に示されるように、文字情報Ａの表示終了タイミングを前倒しにして、文字情報Ａと文字情報Ｃの重複を解消することとしている。ここで、図１２（Ｂ１）〜図１２（Ｂ３）に示されるＤｔ２は、文字情報Ａに対する色変え終了タイミングである。図１２（Ａ２）に示されるように、第１補正処理（Ｓ２０４）を実行することで、文字情報Ａに対する色変え終了タイミングの前に文字情報Ａが消去された状況となっており、歌唱に支障が生じることが考えられる。
【００６８】
したがって、第２補正処理（Ｓ２０６）では、図１２（Ｂ３）に示されるように、文字情報Ａの色変え終了タイミングＤｔ２に間に合うように、文字情報Ａの表示終了タイミングを後倒しとする。そして、文字情報Ａと文字情報Ｃの重複を回避するため、文字情報Ｃの表示開始タイミングを後ろ倒しとする。よって、第１補正処理（Ｓ２０４）で生じた文字情報Ａの色変え終了前に文字情報Ａが消去される状況を解消している。なお、第２補正処理（Ｓ２０６）の補正は、文字情報Ａの色変え終了タイミングＡｔの後であって、文字情報Ｃの色変開始タイミングの前であれば、適宜範囲で補正を行うことが可能である。
【００６９】
以上、図６の第２補正処理（Ｓ２０６）の各種形態について説明したが、第２補正処理（Ｓ２０６）を実行することで、第１補正処理（Ｓ２０４）で生じた歌詞の色変え開始タイミングに文字情報が表示されていない、あるいは、歌詞の色変え終了タイミング前に文字情報が消去される状況を解消することが可能となっている。
【００７０】
図６の歌詞情報変換処理（Ｓ２００）では、Ｓ２０３〜Ｓ２０６の処理の実行後、変換された歌詞情報について、不自然な配置が無いか否かを検証する（Ｓ２０７）。図１３（Ａ１）は、変換時に生じる不自然な配置を説明するための図である。図１３（Ａ１）は、歌詞情報変換処理（Ｓ２００）において、Ｓ２０１〜Ｓ２０６の処理が実行された歌詞情報について、新たな行情報に基づく歌詞情報の表示経過を示す例である。例えば、文字情報Ｄが表示されてから、次の文字情報Ｅが表示されるまでの間に、文字情報が表示されない画面となる期間が生じることが考えられる。このような状況は、ＡメロとＢメロの間等の間奏時に生じることとなる。
【００７１】
図１３（Ａ１）の場合、新たな１行目に文字情報Ｄが表示された後、間奏等、歌唱が必要の無い期間に入るが、歌唱するユーザは、新たな２行目（図１３（Ａ）に示すＡで示す部分）に何か表示されることを期待することが考えられる。ユーザが期待しているにも関わらず、文字情報が表示されない場合、ユーザは戸惑いを生じることが考えられる。本実施形態では、このような文字情報の配置を不自然な配置と位置付け、不自然な配置が生じている場合（Ｓ２０７：Ｙｅｓ）、これを解消する第３補正処理（Ｓ２０８）を実行することとしている。
【００７２】
図１３（Ａ２）は、図１３（Ａ１）の歌詞情報に対して、第３補正処理（Ｓ２０８）が実行された後の表示経過を示す例である。この第３補正処理（Ｓ２０８）では、文字情報Ａ、Ｃと文字情報Ｂ、Ｄの表示位置（歌詞が表示されていない状態から表示され、再度、歌詞が表示されない状態となるまでの１区間）の行を入れ替えることで、間奏前に表示される文字情報Ｄが新たな２行目に位置させている。したがって、間奏前には、文字情報は下方に位置する新たな２行目に表示され、ユーザは歌唱が一段落したことを確認することが可能となる。なお、この例では、間奏時前に表示される文字情報の不自然な配置について説明したが、楽曲の終了直前に表示される文字情報についても、同様に不自然な状況が生じることが考えられる。このような場合にも第３補正処理（Ｓ２０８）を実行することで、歌唱し易い歌詞の配置とすることが可能となる。
【００７３】
第３補正処理（Ｓ２０８）では、このように区切りの良い、入れ替え可能な１区間の行を入れ替えることとしているが、このような形態に代え、最後に表示されている結合された文字情報Ｄの結合関係を解除する、すなわち、結合しないことによっても解消することが可能である。図１３（Ａ３）は、図１３（Ａ１）の不自然な配置について、図１３（Ａ２）と異なる解消形態である。図１３（Ａ３）では、結合関係にあった文字情報Ｄの結合関係を解除し、文字情報Ｄ１、文字情報Ｄ２として、それぞれを１行目、２行目に表示させている。このようにすることで、歌唱が必要の無い期間に入る前には、２行目に文字情報Ｄ２が表示されることになり、不自然な配置を解消することが可能となっている。なお、結合関係を解除する文字情報は、この例のように最後に位置する文字情報では無く、１区間内の適宜文字情報の結合関係を解除することが可能である。例えば、結合後、横幅が最も長くなる文字情報の結合関係を解除する（結合しない）ことで、文字情報の横幅を適切な長さに抑えることが可能となる。
【００７４】
なお、不自然な配置の解消について、図１３（Ａ２）の形態を採用するか、図１３（Ａ３）の形態の何れか一方を採用してもよい。あるいは、所定の条件に従って、図１３（Ａ２）の形態、図１３（Ａ３）の形態を使用することとしてもよい。例えば、歌詞が表示されてから画面に歌詞が表示されない状態までを１区間とした場合、当該１区間において、結合後、最初に表示される文字情報が最低行（本実施形態では、新たな２行目）に表示され、かつ、１区間あたりの文字情報の数が偶数になる場合には、図１３（Ａ２）の形態を採用する。一方、歌詞が表示されてから画面に歌詞が表示されない状態までを１区間とした場合、当該１区間において、結合後、最初に表示される文字情報が下から２行目（本実施形態では、新たな１行目）に表示され、かつ、１区間あたりの文字情報の数が奇数になる場合には、図１３（Ａ３）の形態を採用することが考えられる。
【００７５】
以上、本実施形態の歌詞情報変換処理（Ｓ２００）について説明を行ったが、歌詞情報変換処理（Ｓ２００）を実行することで、従来のカラオケ装置２の環境のために作成されたカラオケ情報、特に歌詞情報を、現在のカラオケ装置２の環境、特に、モニタ４１が大型化する環境に適合させることが可能となる。
【００７６】
なお、本実施形態では、歌詞情報変換処理（Ｓ２００）は、カラオケ装置２において、カラオケ情報の楽曲ＩＤが指定（予約）され、再生開始前に実行されることとしているが、歌詞情報変換処理（Ｓ２００）を行う主体、あるいは、その実行タイミングは適宜に行うことが可能である。例えば、主体としては、カラオケ装置２が実行することに代え、サーバ装置５で実行し、変換された歌詞情報、あるいは、変換された歌詞情報を含むカラオケ情報をカラオケ装置２に配信することとしてもよい。あるいは、歌詞情報変換処理（Ｓ２００）は、カラオケ装置２において、楽曲がユーザにより指定（予約）された直後に開始されることとしてもよい。
【００７７】
また、本実施形態では、歌詞情報変換処理（Ｓ２００）で変換された歌詞情報は、再利用しないこととしているが、変換された歌詞情報をカラオケ装置２内に保存しておき、再度、選曲された時に再利用することとしてもよい。その場合、新たに歌詞情報変換処理（Ｓ２００）は実行されない。あるいは、変換された歌詞情報は、サーバ装置５に送信してもよい。サーバ装置５で変換された歌詞情報を収集し、他のカラオケ装置２に配信することも可能となる。
【００７８】
以上、本実施形態ではカラオケ装置２を例に取って説明を行ったが、本発明はカラオケ装置２に限らず、サーバ装置５、あるいは、各種情報処理装置で実行可能なカラオケ用プログラムについても本発明の範疇に属する。また、カラオケ装置２は、カラオケ専用の装置のみならず、ＰＣやゲーム機、スマートフォン等の各種情報装置であってもよい。その際、これらの情報装置で実行可能なカラオケ用プログラムについても本発明の範疇に属する。
【符号の説明】
【００７９】
１：リモコン装置                     ２５：音響制御部
２：カラオケ装置                     ２７：メモリ
５：サーバ装置                       ２８：ビデオＲＡＭ
１１：タッチパネルモニタ             ２９：映像再生部
１１ａ：表示部                       ３０：制御部
１１ｂ：タッチパネル                 ３１：映像制御部
１２：ビデオＲＡＭ                   ３２：ＨＤＤ
１３：映像制御部                     ３３：タッチパネルモニタ
１４：メモリ                         ３３ａ：表示部
１５：制御部                         ３３ｂ：タッチパネル
１６：無線ＬＡＮ通信部               ４１：モニタ
１７：操作部                         ４１ａ：ピアノロール
１８：操作処理部                     ４１ｂ〜４１ｄ：技巧情報
２１：操作部                         ４２：スピーカ
２２：操作処理部                     ４４ａ、４４ｂ：歌唱用マイク
２４：ＬＡＮ通信部
【図１】
2020149009.tif 000003
【図２】
2020149009.tif 000004
【図３】
2020149009.tif 000005
【図４】
2020149009.tif 000006
【図５】
2020149009.tif 000007
【図６】
2020149009.tif 000008
【図７】
2020149009.tif 000009
【図８】
2020149009.tif 000010
【図９】
2020149009.tif 000011
【図１０】
2020149009.tif 000012
【図１１】
2020149009.tif 000013
【図１２】
2020149009.tif 000014
【図１３】
2020149009.tif 000015